(57)【特許請求の範囲】
【請求項１】
ノズル列を構成する複数のノズルから記録媒体に対してインクを吐出する記録ヘッドと、前記記録ヘッドのノズル面を中空のキャップ部材にて覆うキャップ手段と、前記記録ヘッドに対しワイパー部材が相対移動することにより前記記録ヘッドのノズル面を前記ワイパー部材にて払拭するワイパー手段とを備えるインクジェット記録装置において、
前記ワイパー部材は、少なくとも前記ワイパー部材の相対移動中に、前記ワイパー部材にて払拭した異物を、前記ノズル列が設けられているノズル領域外に案内する第１の部分が、前記ノズル領域を払拭する第２の部分の両端に連接されてなり、
前記第１の部分は、前記記録ヘッドのノズル面における前記キャップ部材の開口周縁部との接触領域のうち前記ノズル列の延在方向に延びる第１の領域に対応して形成される一方、
前記第２の部分は、前記記録ヘッドのノズル面における前記キャップ部材の開口周縁部との接触領域のうち前記ノズル列の延在方向と直交する第２の領域と前記ノズル領域との間を払拭開始位置として、前記ノズル領域を払拭する構成とされることを特徴とするインクジェット記録装置。
【請求項２】
前記第１の部分は、前記ワイパー部材の相対移動中に、前記ワイパー部材の移動方向に対し、前記ノズル面との摩擦により後方に向かって傾斜するか、あるいは湾曲することにより形成されるものであることを特徴とする請求項１記載のインクジェット記録装置。
【請求項３】
前記第１の部分は、予め前記ワイパー部材の移動方向に対し後方に向かって傾斜しているか、あるいは湾曲して形成されているものであることを特徴とする請求項１記載のインクジェット記録装置。
【請求項４】
前記キャップ部材と前記ノズル面との接触位置の外側に、前記ワイパー部材にて払拭した異物をトラップ可能なトラップ部が配設されていることを特徴とする請求項１〜３のいずれか１つに記載のインクジェット記録装置。
【請求項５】
前記第１の部分と第２の部分との連接部に、前記ワイパー部材の記録ヘッドに対する相対移動方向に応じて、前記第２の部分が前記第１の部分に対して一定角度傾斜するのを許容するヒンジ手段が設けられていることを特徴とする請求項１または２に記載のインクジェット記録装置。
【発明の詳細な説明】
【技術分野】
【０００１】
本発明は、インクジェット記録装置に関するものである。
【背景技術】
【０００２】
従来より、記録用紙（記録媒体）を記録ヘッドに対して相対的に移動させ、前記記録ヘッドをキャリッジ上で記録用紙の幅方向に移動させながら記録用紙に対してインク滴を吐出させることで記録を行うインクジェット記録装置は知られている。
【０００３】
そのような記録ヘッドは、ノズルからインク滴として記録用紙に吐出させて記録を行う関係上、ノズルの開孔からのインクの蒸発に起因するインク粘度の上昇や、インクの固化、塵埃の付着、さらには気泡の混入などによりノズルの開孔に目詰まりし、記録不良を起こすおそれがある。
【０００４】
そのために、インクジェット記録装置は、非記録時に記録ヘッドのノズル面をキャップ部材にて覆うキャップ手段と、必要に応じて記録ヘッドのノズル面をワイパー部材にて清掃するワイパー手段を備えているのが一般的である。
【０００５】
通常のインクジェット記録装置においては、キャップ部材にて前記ノズル面を覆った状態でノズルのインクを吸引し、その後に、ワイパー部材により前記ノズル面を払拭して、残インクを除去する操作が行われる。
【０００６】
すなわち、このワイパー手段は、ノズル面に残留したインクを払拭するためのものであり、ノズル面に残留したインクが乾燥してノズルが詰まるという不具合を解消するために用いられていた。
【０００７】
そこで、そのようなインクジェット記録装置において、ワイパー部材によって払拭したインクを効果的に回収し、ワイパー部材から滴下するインク廃液によってもたらされる汚染、および機器の駆動障害の発生を防止するようにしたものが提案されている（例えば、特許文献１参照）。
【特許文献１】特開２００５−８１５９４号公報（段落００３３〜００３７および図７，図８）
【発明の開示】
【発明が解決しようとする課題】
【０００８】
ところで、ノズル面を覆うキャップはゴム材料で形成されているが、ゴム材料がインクと接触することによって析出した物質が、インクジェット記録装置に対して悪影響を及ぼす場合があることが、発明者の研究によりわかってきた。
【０００９】
すなわち、発明者の知見したところによると、インクジェット記録に用いるインクと直接的あるいは間接的に接触する部位に関しては、インクとの接触による材料の化学変化が生じやすく、きわめて慎重な材料選定が必要であり、その中でも、特にゴム材料においては、インクジェットインクと所定の時間接触すると、ゴムの製造工程で添加される加硫化剤やその他反応助剤などがノズル面に析出または堆積するので、ゴム特性の劣化やインク物性への影響から記録品質の劣化、更にはインクジェット装置としての全体の動作を著しく妨げる可能性が懸念される。
【００１０】
具体的には、記録ヘッドのノズル面をキャップ部材で覆うキャップ手段や、ノズル面のインク液滴をワイパー部材にて払拭するワイパー手段においてはゴム材料が多く使用されているので、キャップ部材やワイパー部材に生じた異物(例えば析出物質）が、ワイパー部材の払拭動作によりノズル内への進入したり外周に付着したりして、インクの吐出安定性に大きな影響を与える可能性がある。特に、キャップ部材との接触部分とノズルの開孔が同一平面で構成されている場合、キャップ部材との接触部分で生じた析出物質やインクミストなどの異物がノズル内に侵入し、インク吐出不良やインク液滴吐出の直進性などを損なう可能性がある。
【００１１】
しかしながら、従来のワイパー手段は、ノズルの吐出口を含むノズル面を払拭するものであることから、異物がノズル内に押し込まれる可能性があり、上記の問題点の解決には適していなかった。また、特許文献１に記載されたワイパー部材は、ノズル面におけるキャップとの接触部分を払拭するものではないため、ワイパー部材によって異物がノズル内に押し込まれる可能性は少ないが、異物はノズル面に残留したままとなるためノズル内に侵入する危険性を有していた。
【００１２】
この発明は、キャップ部材と記録ヘッドのノズル面の接触部分に生じる析出物質などの異物によるノズルの開孔の目詰まりを回避して、長期にわたり安定したインク吐出特性を維持することができるインクジェット記録装置を提供することを目的とする。
【課題を解決するための手段】
【００１３】
請求項１の発明は、ノズル列を構成する複数のノズルから記録媒体に対してインクを吐出する記録ヘッドと、前記記録ヘッドのノズル面（ノズルの開孔が形成された面）を中空のキャップ部材にて覆うキャップ手段と、前記記録ヘッドに対しワイパー部材が相対移動することにより前記記録ヘッドのノズル面を前記ワイパー部材にて払拭するワイパー手段とを備えるインクジェット記録装置において、前記ワイパー部材は、少なくとも前記ワイパー部材の相対移動中に、前記ワイパー部材にて払拭した異物を、前記ノズル列が設けられているノズル領域外に案内する第１の部分が、前記ノズル領域を払拭する第２の部分の両端に連接されてなり、前記第１の部分は、前記記録ヘッドのノズル面における前記キャップ部材の開口周縁部との接触領域のうち前記ノズル列の延在方向に延びる第１の領域に対応して形成される一方、前記第２の部分は、前記記録ヘッドのノズル面における前記キャップ部材の開口周縁部との接触領域のうち前記ノズル列の延在方向と直交する第２の領域と前記ノズル領域との間を払拭開始位置として、前記ノズル領域を払拭する構成とされることを特徴とする。
【００１４】
このようにすれば、ワイパー部材の第１の部分によって、少なくとも前記ワイパー部材の相対移動中（払拭動作中）に、前記ワイパー部材にて払拭した異物（例えば、キャップ部材との接触によってノズル面に生じた析出物質やインクミスト）が、ノズル領域外に案内される。よって、ワイパー部材にて払拭した異物が、前記ワイパー部材によってノズル領域とは異なる方向に案内されるので、前記異物が、ノズル（具体的にはノズルの開孔）内へ侵入することが回避される。
【００１５】
また、ワイパー部材の第１の部分が、前記記録ヘッドのノズル面における前記キャップ部材の開口周縁部との接触領域のうち、前記ノズル列の延在方向に延びる第１の領域に対応して形成されているので、キャップ部材との接触によってノズル面の第１の領域に生じる析出物質を含めて前記第１の領域の周辺の異物が、ノズル領域外に確実に案内される。よって、そのような異物がノズル内へ侵入することが回避される。
このように、ワイパー部材の形状を工夫して、ワイパー部材による払拭動作の際に、キャップ部材の開口周縁部とノズル面の接触部分に生じる異物(たとえば析出物質やインクミスト）をノズル領域から遠ざける側に案内するようにしているので、長期にわたり安定して一定のインク吐出特性を維持することが可能となる。
よって、ワイパー部材の第２の部分にてノズル領域が払拭されて、残インクが除去され、ワイパー部材の第１の部分にて異物がノズル領域外に案内される。
それに加えて、記録ヘッドのノズル面におけるキャップ部材の開口周縁部との接触領域のうち、前記ノズル列の延在方向と直交する第２の領域と前記ノズル領域との間を、払拭開始位置とされ、前記払拭開始位置から、前記ノズル領域に向かってワイパー部材による払拭動作が開始されるので、前記ノズル列の方向と直交する第２の領域をワイパー部材にて払拭することがなくなる。よって、第２の領域に存在する異物が、ワイパー動作によって、ノズル内へ侵入することが回避される。
【００１８】
請求項２の発明は、請求項１又は２のインクジェット記録装置において、前記第１の部分が、前記ワイパー部材の相対移動中に、前記ワイパー部材の移動方向に対し、前記ノズル面との摩擦により後方に向かって傾斜するか、あるいは湾曲することにより形成されるものであることを特徴とする。ここで、「湾曲することにより形成される」とは、第１の部分が直線状に形成されていないことを意味し、ワイパー部材にて払拭した異物をノズル領域とは異なる方向に案内できる形状であれば、特に制限されない。
【００１９】
このようにすれば、ワイパー部材による払拭動作中に、前記ノズル面との間に生ずる摩擦力によりワイパー部材の一部（前記第１の領域に対応する部分）が変形して、異物をノズル領域外に案内する部分つまり第１の部分が形成される。よって、第１の部分が、ワイパー部材の一部として予め形成されていなくても、ノズル面との摩擦を利用して、実際に異物をノズル領域外に案内する必要があるときには形成されていることになる。
【００２０】
請求項３の発明は、請求項１又は２のインクジェット記録装置において、前記第１の部分は、予め前記ワイパー部材の移動方向に対し後方に向かって傾斜しているか、あるいは湾曲して形成されているものであることを特徴とする。
【００２１】
このようにすれば、異物をノズル領域外に案内する第１の部分を、予めワイパー部材の一部として形成しておくことができる。
【００３２】
請求項４の発明は、請求項１〜３のいずれか１つのインクジェット記録装置において、前記キャップ部材と前記ノズル面との接触位置の外側に、前記ワイパー部材にて払拭した異物をトラップ可能なトラップ部が配設されていることを特徴とする。ここで、トラップ部は、凹部など、インクを含む異物をトラップして貯留しておくスペースを有するものでもよいし、フェルト材など、インクを吸収するものでもよいし、凹部内にフェルト材などを充填したものでもよい。
【００３３】
このようにすれば、ワイパー部材にて払拭された異物(インクを含む）がトラップ部にトラップされ、払拭動作中に、他部に悪影響を与えるのが回避される。
【００３４】
請求項５の発明は、請求項１または２のインクジェット記録装置において、前記第１の部分と第２の部分との連接部に、前記ワイパー部材の記録ヘッドに対する相対移動方向に応じて、前記第２の部分が前記第１の部分に対して一定角度傾斜するのを許容するヒンジ手段が設けられていることを特徴とする。ここで、ヒンジ手段としては、ワイパー部材を構成するゴム材料とは別の材料で形成されるものであってもよいし、前記ゴム材料を利用した薄肉ヒンジを用いることもできる。
【００３５】
このようにすれば、ワイパー部材の相対移動方向に応じて、第２の部分に対する第１の部分の向きが変更され、双方向性が確保される。つまり、ワイパー部材がいずれの方向に移動する場合にも、払拭した異物をノズル領域外へ案内する機能が発揮される。
【発明の効果】
【００３６】
以上のように構成したから、本発明は、ワイパー部材の第１の部分によって、少なくとも前記ワイパー部材の相対移動中に、前記ワイパー部材にて払拭した異物（例えば、キャップ部材との接触によってノズル面に生じた析出物質、インクミスト）を、ノズルが設けられているノズル領域外に案内するので、ワイパー部材によって払拭された異物がノズル内へ侵入することを回避できる。よって、長期にわたり安定して、一定のインク吐出特性を維持することが可能となる。
【発明を実施するための最良の形態】
【００３７】
以下、本発明の実施の形態を図面に沿って説明する。
【００３８】
インクジェットプリンタの外観を示す図１において、インクジェットプリンタ１は、円筒形状のプラテンローラ２を有する。このプラテンローラ２は、給紙カセット又は手差し給紙部から供給された記録用紙３（記録媒体）を記録ヘッド４に対面させながら搬送するもので、左右方向に延びる回転軸（図示せず）によってフレーム５に回転可能に支承されている。記録ヘッド４は、ノズル列を構成する複数のノズルから記録用紙３に対してインクを吐出して、印刷が行われる。尚、記録用紙３は、フレーム５の後方の図示しない用紙供給口から矢符Ａ方向に供給され、プラテンローラ２の回転により矢符Ｂ方向に送給され、図示しない用紙排出口から矢符Ｃ方向に排出されるように構成されている。
【００３９】
プラテンローラ２の前方には、キャリッジ６がプラテンローラ２の軸線に沿ってＤ方向に移動可能に設けられている。キャリッジ６は、インクジェット式の記録ヘッド４及びこの記録ヘッド４に供給するためのインクを収容するインクカートリッジ７をそれぞれ着脱可能に搭載している。また、キャリッジ６は、プラテンローラ２の軸線と平行に設けられたキャリッジ軸８にスライド可能に嵌合する嵌合孔部６ａを有し、これによって、キャリッジ６に搭載された記録ヘッド４は、プラテンローラ２の軸線に沿って、スライド移動により往復移動可能となっている。キャリッジ６を移動させるキャリッジモータ１０としては例えばステップモータあるいはＤＣモータが使用され、ベルト１１及びプーリ１２，１３を有するベルト機構１４を介してキャリッジ６を移動させる構成とされている。
【００４０】
また、プラテンローラ２の右側には、記録ヘッド４の不吐出あるいは吐出不良を回復する回復装置ＲＭが配設されている。このような回復装置ＲＭを設けているのは、インクジェット式の記録ヘッド４であると、使用中に内部に気泡が発生したり、吐出面上にインクの液滴が付着したりするなどの原因により吐出不良を起こすので、これを良好な吐出状態に回復させるためである。
【００４１】
回復装置ＲＭとしては、記録ヘッド４のノズル面を払拭するワイパー装置２１（ワイパー手段）、記録ヘッド４内の不良インクを吸引するパージ装置２２（キャップ手段）、および記録ヘッド４のノズル面を覆いインク蒸発を防止する保護キャップ装置２３が設けられている。
【００４２】
ワイパー装置２１は、待機位置と動作位置との間を進退可能に設けられ動作位置で記録ヘッド４のノズル面に接触して前記ノズル面を払拭する板状のワイパー部材２１ａを備える。なお、ワイパー部材２１ａは、印字動作時には、後退位置とされる。
【００４３】
パージ装置２２は、待機位置と動作位置との間を進退可能に設けられ動作位置で記録ヘッド４のノズル面に接触して前記ノズル面を覆う中空の吸引キャップ部材２４を備える。そしてその動作位置で記録ヘッド４のノズル面を吸引キャップ部材２４で覆っている状態で吸引ポンプ２５により吸引キャップ部材２４内に負圧を発生させ、記録ヘッド４の内部の不良インクを吸引して良好な吐出状態を回復させるように構成されている。なお、吸引キャップ部材２４は、印字動作時には、後退位置とされる。
【００４４】
吸引キャップ部材２４には、吸引チューブ（図示せず）を介して吸引ポンプ２５に接続されている。また、この吸引ポンプ２５に一端部が接続されている吐出チューブ２９の他端部が、吸着材３０が収容された廃インクタンク３１に接続されている。従って、吸引ポンプ２５によって前記吸引チューブを通じて吸引された記録ヘッド４のノズル内の不良インクは、吐出チューブ２９を通じて廃インクタンク３１に吐出され、そして廃インクタンク３１内の吸着材３０に吸着される。
【００４５】
ワイパー装置２１のワイパー部材２１ａの進退、パージ装置２２の吸引キャップ部材２４の進退及び吸引ポンプ２５の駆動（ピストン部材の進退）は、ポンプカムギヤ２６を回転駆動することで制御されるようになっている。即ち、具体的には図示していないが、ワイパー部材２１ａは後端部がポンプカムギヤ２６の第１カム溝に係合するワイパー駆動部材を介して制御され、また、パージ装置２２の吸引キャップ部材２４は後端部が第２カム溝に係合することで、吸引ポンプ２５はそれの１対のピストン（図示せず）の後端部が第３及び第４カム溝に係合することでそれぞれ制御されるようになっており、このように制御されることで一連の回復動作が行われることになる。なお、この実施の形態では、ポンプカムギヤ２６の駆動（ワイパー装置２１のワイパー部材２１ａの進退、パージ装置２２の吸引キャップ部材２４の進退及び吸引ポンプ２５の駆動）は、紙送り装置の駆動モータなどの駆動手段により、それと係脱可能に連結する連結手段を介して駆動されるが、専用の駆動手段を設けることもできるし、ワイパー装置２１のワイパー部材２１ａの進退、パージ装置２２の吸引キャップ部材２４の進退及び吸引ポンプ２５の駆動を、そのようなポンプカムギヤを利用した駆動機構以外の駆動機構を用いて行うこともできるのはいうまでもない。
【００４６】
また、キャリッジ６の移動方向と平行となるように廃インクタンク３１にガイドロッド部材５１が配設され、該ガイドロッド部材５１に、保護キャップ装置２３を支持する可動支持部材５２がスライド移動可能かつ回転可能に支承されている。可動支持部材５２は、キャリッジ６に形成された被係合部６ｂと係脱可能に係合する係合突部５２ａを有し、それによって該係合突部５２ａがキャリッジ６の被係合部６ｂに係合すると、キャリッジ６の移動に追従してスライド移動するようになっている。このスライド移動の際、可動支持部材５２が、可動支持部材５２の案内凸部（図示せず）と案内部材（図示せず）の案内傾面との係合関係で、記録ヘッド４側に回転し、記録ヘッド４のノズル面を保護キャップ装置２３によって覆うようになっている。
【００４７】
また、可動支持部材５２と、廃インクタンク３１との間にはコイルスプリング５４が介装され、可動支持部材５２を、待機状態へ復帰させかつ保護キャップ装置２３が記録ヘッド４から離れる方向に常時付勢する構成とされている。
【００４８】
続いて、ワイパー装置のワイパー部材２１ａの形状について、さらに説明する。
【００４９】
まず、ワイパー部材２１ａによって払拭されるのは、図３に示すように、ノズル４ａが設けられているノズル領域Ｓ１１およびその周辺である。そして、ノズル領域Ｓ１１には、この実施の形態では４つのノズル列Ｌ１〜Ｌ４が形成されている。各ノズル列Ｌ１〜Ｌ４においては、ワイパー部材２１ａによる払拭方向に直交する方向に複数のノズルが配置されている。記録ヘッド４のノズル面のうちノズル領域Ｓ１１は、パージ動作時には、吸引キャップ部材２４にて覆われる構成とされている。よって、前記ノズル面においては、ノズル領域Ｓ１１の周囲に、吸引キャップ部材２４の開口周縁部との矩形環状の接触領域Ｓ１２が配置されることになる。この接触領域Ｓ１２は、キャップ部材２４の開口周縁部に対応する形状で、ノズル列Ｌ１〜Ｌ４の延在方向に延びる２つの直線状の第１の領域Ｓ１２−１，Ｓ１２−２と、ノズル列Ｌ１〜Ｌ４の方向に平行に延びる２つの直線状の第２の領域Ｓ１２−３，Ｓ１２−４とを有する。この第１の領域Ｓ１２−１，Ｓ１２−２と第２の領域Ｓ１２−３，Ｓ１２−４との間はそれぞれ湾曲領域にて滑らかに接続されている。
【００５０】
ワイパー部材２１ａは、図３に示すように、ノズル列Ｌ１〜Ｌ４と平行に延びノズル領域Ｓ１１全体を払拭する平板状のワイパー基部２１ａａ（第２の部分）と、このワイパー基部２１ａａの両端部に傾斜状態で連接され自由端がノズル領域Ｓ１１外まで延びる２つのワイパー側部２１ａｂ，２１ａｂとを有する。このワイパー側部２１ａｂ，２１ａｂは、接触領域Ｓ１２のうち第１の領域Ｓ１２−１，Ｓ１２−２に対応して配置され、第１の領域Ｓ１２−１，Ｓ１２−２を払拭するようになっている。このワイパー側部２１ａｂ，２１ａｂは、ワイパー基部２１ａａに対して傾斜していることで、払拭動作中に、払拭した異物Ｗを、ノズル領域Ｓ１１外（つまり第１の領域Ｓ１２−１，Ｓ１２−２の外側）に案内する機能を発揮する。
【００５１】
そして、ワイパー部材２１ａは、キャリッジ６によって記録ヘッド４が移動してくると、ポンプカムギヤ２６の回転でワイパー部材２４が前進して、ワイパー基部２１ａａが、記録ヘッド４のノズル面における接触領域Ｓ１２のうち一方の第２の領域Ｓ１２−３（あるいは領域Ｓ１２−４）と、ノズル領域Ｓ１１との間を払拭開始位置（例えば位置Ｐ１）として接触する。この接触後、記録ヘッド４の移動が続くので、払拭開始位置Ｐ１から、ノズル４ａが設けられている側（つまりノズル領域Ｓ１１側）に向かってワイパー基部２１ａａが相対移動することで払拭動作を開始し、他方の第２の領域Ｓ１２−４（あるいは領域Ｓ１２−３）を超えて終了する（図３における経路Ｒ１参照）。
【００５２】
このようにすれば、少なくともワイパー部材２１ａの相対移動中に、ワイパー部材２１ａ（特にワイパー側部２１ａｂ，２１ａｂ）にて払拭した異物（吸引キャップ部材２４との接触によってノズル面に生じた析出物質やインクミストなど）が、ワイパー側部２１ａｂ，２１ａｂが傾斜していることによって、ワイパー部材２１ａの相対移動に伴って、ノズル領域Ｓ１１内へ進入することなく、ノズル領域Ｓ１１外にスムーズに案内される。つまり、ワイパー部材２１ａにて払拭した異物の移動方向（排出方向）が、ノズル域Ｓ１１とは異なる方向となるので、そのような異物がノズル４ａ内へ侵入することがなくなり、ノズルの目詰まりなどが生じることが回避される。よって、長期にわたり、インクが安定して吐出される一定のインク吐出特性を維持することが可能となる。
【００５３】
以上の説明において、本発明の一実施の形態について説明したが、本発明はそれに限定されるものではなく、以下に述べるように種々の変更が可能である。
【００５４】
(i)前記実施の形態においては、待機位置と動作位置（払拭する位置）との間を進退する（ワイパー装置の）ワイパー部材２１ａに対して記録ヘッド４（キャリッジ６）が移動することでノズル面の払拭を行うようにしているが、逆に、例えば停止状態にある記録ヘッドに対しワイパー部材を、周知の駆動手段を用いてノズル面に対して移動させることでノズル面の払拭を行う構成とすることもできる。例えばワイパー部材を進退させるアクチュエータを含むワイパー装置を可動台上に固定し、この可動台をガイドレールに沿って、ワイパー部材が動作位置となった状態でノズル面を払拭するように移動させる構成とすることもできる。この場合、ワイパー部材の移動方向は、レイアウト状の問題が菜ｋれば特に制限されず、水平方向であっても垂直方向であってもよい（具体的には、ノズル列方向であっても、そのノズル列方向に直交する方向でもよい）。
【００５５】
(ii)ワイパー部材２１ａの払拭動作は、前述したのに制限されず、図３に経路Ｒ２で示すように、ノズル列Ｌ１〜Ｌ４の間（ノズル列が１列の場合にはノズルの間）の領域のうちいずれか１つの領域を、ワイパー基部２１ａａの払拭開始位置Ｐ２（図３の一点鎖線参照）とし、まず、ノズル領域Ｓ１１の一方の端部（第２の領域Ｓ１２−４）を超えるまで払拭した後、払拭方向を変更して、ノズル領域Ｓ１１の他方の端部（第２の領域Ｓ１２−３）を超えるまで払拭するようにしてもよい。このようにすれば、第２の領域Ｓ１２−３，Ｓ１２−４における析出物質を、ノズル領域Ｓ１１側に持ち込むことなく、前記ノズル面を払拭することができる。
【００５６】
（iii）前記実施の形態においては、ワイパー部材２１ａを、２つの第１の部分を第２の部分の両端に連接する構成としているが、第１の部分の外端に、さらに、異物をノズル領域外に案内する第３の部分を設けるという具合に、第２の部分の両端に（第１の部分を含む）複数段からなる異物案内部を設けるようにしてもよいのはもちろん、例えば図４に示すように、第２の部分を実質的に省略してワイパー部材を構成することも可能である。この場合、ワイパー部材１２１は、払拭動作を行う方向に向かって鋭角をなすように接合された２つの平板状の部分１２１ａを有する構成とされ、断面くの字形状に形成されている。つまり、前記２つの平板状の部分１２１ａが前記第１の部分となっており、第１の部分のうち中央の連接部分が前述した実施の形態における第２の部分を兼ねることになるが、第２の部分は実質的には存在しないことになる。
【００５７】
（iv）前記実施の形態においては、ワイパー部材２１ａに払拭動作するだけであるが、前記キャップ部材２４と前記ノズル面との接触領域（第２の領域Ｓ１２）の外側に、図５に示すように、前記ワイパー部材２１ａにて払拭した異物をトラップ可能なトラップ部２０１を配置することも可能である。ここで、トラップ部２０１は、前記異物を貯留できる凹部として構成するだけでなく、フェルト材などの吸インク材を設けて構成してもよいし、凹部内に吸インク材を設ける構成としてもよい。
【００５８】
（v）前記実施の形態においては、ワイパー装置２１は１つのワイパー部材２１ａを有するものであるが、２つのワイパー部材を有する構成とすることも可能である。例えば図６に示すように、前記記録ヘッドのノズル面には、複数のノズル列Ｌ１〜Ｌ４が配置される一方、前記ワイパー手段は、移動可能に支持される第１及び第２のワイパー部材２２１Ａ，２２１Ｂを備え、前記第１及び第２のワイパー部材２２１Ａ，２２１Ｂは、前記複数のノズル列Ｌ１〜Ｌ４の間の複数の領域うちいずれか１つの領域を払拭開始位置とされ、払拭開始により互いに反対方向に移動する構成とすることが可能である。この場合には、２つのワイパー部材２２１Ａ，２２１Ｂそれぞれに対して駆動手段が設けられ、て各ワイパー部材２２１Ａ，２２１Ｂが独立して払拭動作をする構成とされる。
【００５９】
(vi)前記実施の形態においては、パージ装置２２は１つの吸引キャップ部材２４を有するものであるが、吸引キャップ部材が複数のキャップ部を有し、各キャップ部がノズル列毎に覆う場合にも同様に適用することができる。この場合は、図７に示すように、各ノズル列Ｌ１〜Ｌ４を有するノズル領域Ｓ１３−１〜Ｓ１３−４の周囲に、前記前記各キャップ部の開孔周縁部が接触する接触領域Ｓ１４−１〜Ｓ１４−４がノズル列毎に形成されるので、記録ヘッドのノズル面が停止した状態で、４つのノズル領域Ｓ１３−１〜Ｓ１３−４それぞれに対しワイパー部材３２１−１〜３２１−４を設け、各ワイパー部材が前記ノズル領域に対し相対移動することで各ノズル領域の払拭を受け持つようにすればよい。この場合も、図５に示す場合と同様に、トラップ部３３１−１〜３３１−４を設けるようにしてもよい。
【００６０】
(vii)前記実施の形態においては、ワイパー部材２１は、前記ワイパー側部２１ａａ（第１の部分）が、ワイパー基部２１ａａに対しワイパー部材２１ａの移動方向に対し後方に向かって傾斜した形状とされているが、本発明はそれに限定されるものではなく、前記ワイパー部材の移動方向に対し後方に向かって湾曲した形状とすることも可能である（図３の一転鎖線Ｆ参照）。
【００６１】
また、このようなワイパー側部は、ワイパー基部に対し予め形成されている必要はなく、前記ワイパー部材の相対移動中に前記ノズル面との摩擦により、前記ワイパー側部がワイパー基部に対し前記ワイパー部材の移動方向の後方に向かって傾斜するか、あるいは湾曲する形状となるように構成とすることも可能である。
【００６２】
具体的には、例えば図８（ａ）に示すように、ワイパー部材４２１を、例えばゴムからなるワイパー材４２１Ａ（ワイパー側部４２１Ａａ、ワイパー基部４２１Ａｂ、払拭辺４２１Ａｃ）と、それを支持する支持板４２１Ｂ（例えばＳＵＳ）とで構成し、払拭方向（紙面に直交する方向）に相対移動させることで、払拭辺４２１Ａｃをノズル面において摺動させると、支持板４２１Ｂにて支持されないワイパー材４２１Ａの両側部が、支持板４２１Ｂにて支持される中央部に比べて撓みやすくなるので、Ｂ方向に折れ曲がるように変形し、結果として前述した実施の形態と同様に、案内部（第１の部分）が形成される。同様に図８（ｂ）に示すように、先端が断面山型の支持板４２２Ｂとそれに取り付けられるワイパー材４２２Ａ（ワイパー側部４２２Ａａ、ワイパー基部４２２Ａｂ、払拭辺４２２Ａｃ）とを用いたワイパー部材４２２の場合も同様である。
【００６３】
また、図８（ａ）（ｂ）に示すように、ワイパー材４２１Ａ，４２２Ａの幅を支持板４２１Ｂ，４２２Ｂの幅よりも大きくする必要はなく、図８（ｃ）（ｄ）に示すように、ワイパー材４２３Ａ，４２４Ａ（ワイパー側部４２３Ａａ，４２４Ａａ、ワイパー基部４２３Ａｂ，４２４Ａｂ、払拭辺４２３Ａｃ，４２４Ａｃ）と支持板４２３Ｂ，４２４Ｂとの幅がほぼ同じ場合でも、ワイパー側部の肉厚が徐々に側方に向かって厚くなる構成であれば、同様に両側部が変形するので、同様な効果が得られる。ここで、支持板４２３Ｂは湾曲面である先端面を、支持板４２４Ｂは台形断面である先端面をそれぞれ有する。
【００６４】
ワイパー材の、ノズル面との接触面（先端面）は、図８（ａ）〜（ｄ）に示すように、ノズル面と平行である必要はなく、図９に示すように、払拭辺に凹部４２５Ａｃが形成されたワイパー材４２５Ａ（ワイパー側部４２５Ａａ、ワイパー基部４２５Ａｂ）が支持板４２５Ｂに支持される構成のワイパー部材４２５とすることも可能である。
【００６５】
（viii）第１の部分となるワイパー側部と第２の部分となるワイパー基部の連接部に、前記ワイパー部材の記録ヘッドに対する相対移動方向に応じて、前記ワイパー側部が前記ワイパー基部に対して一定角度傾斜するのを許容するヒンジ手段を設ける構成することも可能である。例えば図１０に示すように、ワイパー側部４２６Ａａと、ワイパー基部４２６Ａｂとを薄肉ヒンジ４２６Ａｃ（ヒンジ手段）で結合してなるワイパー材４２６Ａを用い、ワイパー基部４２６Ａｂを支持板４２６Ｂで支持してワイパー部材４２６を構成するようにすれば、ワイパー部材４２６の相対移動方向（紙面に直交する方向）に応じて、ワイパー側部４２６Ａａを第１の部分として変位させ、ワイパー基部４２６Ａｂ（第２の部分）に対し角度もって傾斜させるようにすることも可能である。ワイパー部材４２６の相対移動方向に応じて、ワイパー基部４２６Ａｂに対するワイパー側部４２６Ａａの向きが変更されるので、双方向性が確保される。
【００６６】
（ix）前記実施の形態においては、電圧を印加すると機械的変形をする圧電素子（ピエゾ素子など）を利用してインク溝内に溜めてあるインクを噴射する圧電素子型のインクジェット記録装置に適用しているが、そのほか、インクに発熱抵抗体（硼化ジルコニウムなど）の発する熱を瞬間的に与え、膜沸騰させ、その沸騰気泡の体積膨張を利用してインクを射出させるいわゆるバブルジェット（登録商標）型のインクジェット記録装置にも適用することができる。また、記録ヘッドのノズルを、水平方向に開孔するものだけでなく、下向き、傾斜などの任意の方向にノズルを向けたものにも本発明を適用することができる。
【００６７】
（x）記録媒体全幅にわたって記録ヘッドが配置され、記録ヘッドが移動しないラインプリンタの場合にも同様に適用することができる。つまり、記録ヘッドは、各色毎に設けられ、記録ヘッド間に隙間が形成されるので、前述したところの、払拭した異物をノズル列から離れる方向に案内する部分を備えるワイパー部材を、ノズル列方向に移動させることで同様に効果を期待することができる。
【図面の簡単な説明】
【００６８】
【図１】本発明の一実施の形態に係るインクジェット記録装置の概略構成を示す斜視図である。
【図２】同記録装置における回復手段付近の側面図である。
【図３】記録ヘッドのノズル面と、ワイパー部材との関係を示す説明図である。
【図４】他の実施の形態についての図３と同様の図である。
【図５】他の実施の形態についての図３と同様の図である。
【図６】他の実施の形態についての図３と同様の図である。
【図７】他の実施の形態についての図３と同様の図である。
【図８】（ａ）〜（ｄ）はそれぞれワイパー部材の支持部とワイパー部との関係を示す説明図である。
【図９】変形例についての図８と同様の図である。
【図１０】変形例についての図８と同様の図である。
【符号の説明】
【００６９】
Ｐ１，Ｐ２    払拭開始位置
Ｌ１〜Ｌ４    ノズル列
Ｓ１１    ノズル領域
Ｓ１２    接触領域
Ｓ１２−１，Ｓ１２−２    第１の領域
Ｓ１２−３，Ｓ１２−４    第２の領域
Ｓ１３−１〜Ｓ１３−４    ノズル領域
Ｓ１４−１〜Ｓ１４−４    接触領域
１    インクジェットプリンタ
３    記録用紙（記録媒体）
４    記録ヘッド
４ａ    ノズル穴
６    キャリッジ
２１ａ    ワイパー部材
２１ａａ    ワイパー基部(第２の部分）
２１ａｂ    ワイパー側部(第１の部分）
２４    吸引キャップ部材
１２１    ワイパー部材
１２１ａ    平板状の部分
２０１    トラップ部
２２１Ａ，２２１Ｂ    ワイパー部材
３２１−１〜３２１−４    ワイパー部材
３３１−１〜３３１−４    トラップ部
４２１〜４２６    ワイパー部材
４２１Ａ〜４２６Ａ    ワイパー材
４２１Ａａ〜４２６Ａａ    ワイパー基部
４２１Ａｂ〜４２６Ａｂ    ワイパー側部
４２１Ａｂ〜４２６Ａｂ    支持板
４２６Ａｃ    薄肉ヒンジ
【図１】
0004640069.tif 000002
【図２】
0004640069.tif 000003
【図３】
0004640069.tif 000004
【図４】
0004640069.tif 000005
【図５】
0004640069.tif 000006
【図６】
0004640069.tif 000007
【図７】
0004640069.tif 000008
【図８】
0004640069.tif 000009
【図９】
0004640069.tif 000010
【図１０】
0004640069.tif 000011